(57)【要約】【課題】異なる使用状況用に提供される設定位置に関し、多様な可能性を提供する。【解決手段】本発明は、シート（１）、特に車輌シート、及びシート（１）を電気的に制御する方法に関する。このシート（１）は、バックレスト部分（２）とシート部分（３）とを備える。バックレスト部分（２）は、シート部分（３）に対し、通常位置から折り畳み位置に、及びその逆に折り畳まれ得る。シートは、下部シート部分（４）を備える。シート部分（３）は、シートの下部部分に対して、移動され得る。少なくとも１つの前方第１アタッチメント（２０）、後方第２アタッチメント（４０）、及び斜めアタッチメントが提供され、シート部分（３）を下部シート部分（４）に取り付ける。通常位置以外に、シート（１）は、少なくとも１つの搭乗位置及び折り畳み位置に調節され得る。第２のアタッチメント（４０）は、シートが搭乗位置にある場合に取り外され得、斜めアタッチメント（３９ｈあ、シートが折り畳み位置にある場合に取り外され得る。【選択図】図１
2007504990.tif 000002
【特許請求の範囲】
【請求項１】
バックレスト部分（２）及びシート部分（３）を備えるシート（１）、特に自動車用シートであって、
前記バックレスト部分（２）は、前記シート部分（３）に対し、通常位置から折り畳み位置まで、及びその逆に折り畳まれ得るように提供され、
前記シートは、下部シート構造（４）を有し、
前記シート部分（３）は、前記下部シート構造（４）に対して移動可能に提供され、
前記シート部分（３）を前記下部シート構造（４）に締結するため、少なくとも、１つの前方第１締結具（２０）と、１つの後方第２締結具（４０）と、及び１つの斜め締結具（３０）とが提供され、
前記シートは、少なくともエントリー位置、及び通常位置から離隔する低下位置に調節可能であり、
前記第２の締結具（４０）は、前記エントリー位置で開放されるよう提供され、
前記斜め締結具（３０）は、前記低下位置で開放されるよう提供される
ことを特徴とするシート。
【請求項２】
前記エントリー位置において、前記シート部分（３）は、前記第２の締結具（４０）の領域において、前記下部シート構造（４）から分離するよう提供され、及び／又は、
前記低下位置において、前記斜め締結具（３０）は、前記通常位置でのその設定に関して、長手方向に移動するよう提供される
ことを特徴とする請求項１に記載のシート。
【請求項３】
前記第２の締結具（４０）の領域において、前記シート部分（３０）を分離するために、第２のアクチュエータ（４２）が提供され、及び／又は、
前記斜め締結具（３０）を長手方向に移動するため、第１のアクチュエータ（３２）が提供され、
前記第１の及び／又は前記第２のアクチュエータ（３２、４２）は、特に電気モータアクチュエータとして提供される
ことを特徴とする請求項１又は２に記載のシート。
【請求項４】
第１のモニター手段（３１）が提供され、
該第１のモニター手段（３１）は、前記斜め締結具（３０）が前記エントリー位置で開放されるのを防止することを引き起こし、及び／又は、
第２のモニター手段（４１）が提供され、
該第２のモニター手段（４１）は、前記第２の締結具（４０）が前記低下位置で開放されるのを防止することを引き起こす
ことを特徴とする請求項１ないし３のいずれか記載のシート。
【請求項５】
トリガ手段（２１）が提供され、
該トリガ手段（２１）は、その折り畳み位置において前記バックレスト（２）と共に、前記斜め締結具（３０）或いは前記第２の締結具（４０）のいずれかが、所定の時間間隔（Ｔ）の間にのみ、開放されることを引き起こす
ことを特徴とする請求項１ないし４のいずれか記載のシート。
【請求項６】
前記第１のモニター手段（３１）及び／又は前記第２のモニター手段（４１）及び／又は前記トリガ手段（２１）は、マイクロスイッチとして提供される
ことを特徴とする請求項１ないし５のいずれか記載のシート。
【請求項７】
前記シート（１）は、既存のロック及び／又はアンロック状態の関数として、前記締結具（２０、３０、４０）の開放を制御する制御装置（１０）を有する
ことを特徴とする請求項１ないし６のいずれか記載のシート。
【請求項８】
請求項１ないし７のいずれか記載の調節可能なシート（１）を電気的に制御する方法。
【発明の詳細な説明】
【技術分野】
【０００１】
本発明は、クレーム１における前提節に係るシート、特に車輌シートに関する。特に、自動車用に、そのユーザの快適性のニーズを今まで以上に充足するコンポーネントを提供することが、ますます要請される。自動車シートの場合、例えば自動車の後方シートベンチに着座したい自動車のユーザにとっての自動車内へのエントリー援助として、後方シートベンチの前に位置するシートのバックレストは、前方に、即ち後方シートベンチから離れて折り畳まれる。車輌用に、特に、家族用に特に好適な“バン”或いは“大容量サルーン”として参照される車輌用に、車輌シートのさらなる機能可能性或いは位置が可能であることが、有利である；例えば、このタイプのシートのバックレストは、バックレストの背面がテーブルとして利用可能であるよう、前方に折り畳まれ得る。
【背景技術】
【０００２】
特に、後方シートベンチへのアクセスとしての別個のドアを持たない車輌において、車輌シートのバックレストが折り畳まれて、搭乗者の後方シートベンチへのより快適なエントリーをもたらすようなバックレストを有する車輌シートを用いることが、一般に公知である。この目的のため、機械的アンロック装置が、一般に手動で作動され、これにより、その通常位置において、シート表面に対して一定の設定可能な傾斜角でロックされるように提供されるバックレストが、前方に折り畳まれ得る。この場合、下部シート構造全体が、同じ位置に留まり続ける、即ち、同じ場所に留まること、及びこれにより、搭乗者のエントリーの間邪魔し続けることは、不利である。
【発明の開示】
【発明が解決しようとする課題】
【０００３】
本発明はこのため、異なる使用状況のため提供されるその設定位置の点で、最大量のバリエーションの可能性を有するシート、特に車輌用シートを提供する目的に基づく。さらに、本発明によれば、設定可能性の誤使用、或いは予想されない設定可能性の組み合わせが防止される。
【課題を解決するための手段】
【０００４】
本発明によれば、この目的は、バックレスト部分及びシート部分を備えるシートにより達成され、このバックレスト部分は、シート部分に対して、通常位置から折り畳み位置まで、及びその逆に、折り畳まれ得るように提供され、シートは、下部シート構造を有し、シート部分は、下部シート構造に対して移動可能なように提供され、さらに、シート部分を下部シート構造に締結するために、少なくとも、１つの前方第１締結具と、１つの後方第２締結具と、及び１つの斜め締結具とが提供され、シートは、少なくともエントリー位置に、及び通常位置から離隔する低下位置に調節可能なよう提供され、第２の締結具は、エントリー位置で開放可能なよう提供され、斜め締結具は、低下位置で開放可能なよう提供される。これにより、最大量の設定可能性が、シート及び自動車の使用中、操作容易性の向上をもたらす。
【０００５】
本発明の好適な実施形態において、エントリー位置で、シート部分は、第２の締結具の領域において、下部シート構造から分離するよう提供され、及び／又は、低下位置において、斜め締結具は、通常位置におけるその設定に関して、長手方向に移動するよう提供される。これは、特に、シート部分がその通常位置にある場所が、搭乗者により、使用のため開放され得るという利点をもたらす。さらに、これは、シートが、低下され得るよう提供される、即ち、シートのバックレスト部分が比較的厚い場合であっても、バックレストが、テーブルとして使用され得ることを、例えば高すぎる配置であるために車輌内での使用には不適当なこのタイプの“テーブル”を要することなく、可能とするという利点をもたらす。
【０００６】
さらに、シート部分を、第２の締結具の領域において分離するため、第２のアクチュエータが提供され、及び／又は、斜め締結具を長手方向に移動するため、第１のアクチュエータが提供されることが有利であり、この第１及び／又は第２のアクチュエータは、特に、電気モータアクチュエータとして提供される。有利な方法において、これにより、シートの多様な設定可能性が、自動的或いは制御された方法で可能になるという効果がもたらされ、このため、ユーザによる直接のアンロックが不要となり、これにより、第１に、ユーザが、例えばシートのアクセスできない位置をいじくりまわす必要がないため、ユーザの操作を容易化し、第２に、シート構造を単純化し、これにより、扱いにくく、重量の原因となるハンドル、レバー、或いは他の作動用装置が提供される必要がないために、シート構造がより安価となる。
【０００７】
さらに、第１のモニター手段が提供され、この第１のモニター手段は、斜め締結具が、エントリー位置で開放されるのを防止することを引き起こし、及び／又は、第２のモニター手段が提供され、しかしながら、この第２のモニター手段は、第２の締結具が、低下位置で開放されるのを防止することを引き起こすことが有利である。結果として、本発明によれば、誤った使用に起因するシートの多様な調節可能性の誤使用が、大幅に阻止されることが有利に可能となる。
【０００８】
さらに、トリガ手段が提供され、このトリガ手段は、その折り畳み位置においてバックレストと共に、斜め締結具或いは第２の締結具のいずれかが、所定の時間間隔中にのみ開放されることを引き起こすことが有利である。結果として、シート使用の誤使用が、さらに、制約される。
【０００９】
さらに、第１のモニター手段及び／又は第２のモニター手段及び／又はトリガ手段は、マイクロスイッチとして提供されることが有利である。この手段により、特に簡略でコスト効率的な方法で、本発明に係るモニター手段を、シート上に提供することが可能となる。
【００１０】
さらに、シートは、シートにより占められる位置の関数として、締結具の開放を制御する制御装置を有することが有利である。例えばプログラマブル制御装置として、制御装置を実現することにより、本発明によれば、簡略な方法で、本発明に係るシートの多様な調節可能性のご使用を阻止することが可能となる。
【００１１】
本発明はさらに、本発明に係るシートが、ユーザにより選択され得る最大量の設定可能性を有し、同時に、この増加した機能性の誤使用が大幅に制約されるように、制御される方法に関する。
【発明を実施するための最良の形態】
【００１２】
本発明は、図面に示される例示的実施形態を参照して、以下より詳細に説明される。
【００１３】
図１は、本発明に係るシート１、或いは、バックレスト部分２及びシート部分３を備えるシート１を示し、このシート部分３は、前方第１締結具２０、後方第２締結具４０、及び斜め締結具３０を介して下部シート構造４に連結される。本発明によれば、シート１は、特に、その長手軸に対して概ね対称であるよう提供され、これにより、シート１の有利な実施形態において、前方第１締結具、第２の締結具、及び斜め締結具３０の双方が、シート１の左側部及び右側部の双方に提供される。しかしながら、締結具２０、３０、及び４０は、以下詳細に、シート１の２つの側部を識別することなく説明されるが、いずれの場合も、特に、両側にある締結具２０、３０、及び４０を意味する。
【００１４】
図１ａは、トリガ手段２１、第１のモニター手段３１、第１のアクチュエータ３２、第２のモニター手段４１、第２のアクチュエータ４２、及びアクチュエータ手段４３に連結される制御装置１０を、模式的に図示する。制御装置１０の手段により、第２の締結具４０及び斜め締結具３０のアクチュエータ３２、４２は、それぞれ、トリガ手段２１と、モニター手段３１、４１と、及びアクチュエータ手段４３の状態の関数として、即ち、特に、既存のシートのロック及び／又はアンロック状態の関数として、制御される。
【００１５】
図２は、本発明に係るシートの多様なコンポーネントを、拡大展開図で示す。シート部分３（完全には図示されず）について、側方フレーム３ｂのみが、図示され、このフレーム上に、トリガ手段２１が、観察され得る。さらに、第２の締結具４０及び斜め締結具３０が、その個々の部品と共に図示される。第２の締結具は、第２のアクチュエータ４２及び第２のモニター手段４１を具備する。斜め締結具３０は、第１のアクチュエータ３２及び第１のモニター手段３１を具備する。バックレスト部分２に連結されるアクチュエータ部分２３がまた、図示され、これは、バックレスト部分２の移動により移動され、バックレスト部分２が折り畳まれた場合、トリガ手段２１を作動する。
【００１６】
図３は、シート部分３の側部３ｂの詳細を、取り付けられたトリガ手段２１と共に、及び図３の左部分において、アクチュエータ手段２３と共に図示し、これは、バックレスト、或いはバックレスト部分２の位置の関数として移動し、トリガ手段２１がバックレスト部分２の前方へのその折り畳み位置への折り畳みを信号により通知するように、トリガ手段２１と相互作用する。図３の右部分において、アクチュエータ部分２３が、バックレスト２の通常位置に対応して提供され、これにより、アクチュエータ部分２３は、トリガ手段２１と相互作用せず、及びバックレスト２の折り畳み位置を信号により通知しない。
【００１７】
図４は、斜め締結具３０を、その第１のアクチュエータ３２、その第１のモニター手段３１、及びこの第１のアクチュエータ３２が作用する調節クリップ３４と共に示す。第１のアクチュエータ３２が、斜め締結具３０の調節クリップ３４に作用する場合、本発明によれば、斜め締結具３０は、開放され、特に長手方向に移動可能となる。
【００１８】
図５は、第２の締結具４０を図示し、この第２の締結具４０は、第２のアクチュエータ４２と、第２のモニター手段４１と、及び同様に、−斜め締結具３０と同様−第２のアクチュエータ４２が作用する調節クリップ４４とを具備する。第２のアクチュエータ４２が、第２の締結具４０の調節クリップ４４に作用する場合、第２の締結具４０は、開放され、特に、下部シート構造４に対して、シート部分３を開放し、その結果、シート１、或いはバックレスト部分２は、シート部分３と共に、前方第１締結具２０の周囲、或いは前方第１締結具２０の領域における回転軸周囲を、回転可能なように、提供される。  
図６ａから図６ｇは、シート１の、その通常位置からそのエントリー位置まで、及びその通常位置に戻るまでの設定を示すため、本発明に係るシート１の位置のシーケンスを示す。シートの多様なコンポーネントの指定は、いずれの場合も、簡単のため、これらの部分的図面から省略されている。図６ａは、その通常位置におけるシート１を示す。シート１は、図６ｂにおいて前方に折り畳まれるバックレスト２と共に、図示される。バックレスト２を前方に折り畳むことにより、トリガ手段２１が作動され、これにより、第２のアクチュエータ４２は、第２の締結具４０の領域で、シート部分３の開放を提供することが可能となり、これは、図６ｃに図示される。図６ｄは、シート１のエントリー位置を図示する。シート部分３が通常位置にある時点で、例えば、ユーザが、快適に自動車内に搭乗するために、十分な空間が得られることが理解され得る。図６は、シート１、或いはそのバックレスト部分２及びそのシート部分３の、通常位置へ戻る移動を示し、図６ｆにおいて起きる第２の締結具がラッチされ、これにより、シート部分３は再度、下部シート構造４に固定的に連結される。図６ｇは、その通常位置におけるシート１を示す。
【００１９】
図７ａから図７ｇは、シート１の、その通常位置からその低下位置まで、及びその通常位置に戻るまでの設定を示すため、本発明に係るシート１の位置のシーケンスを示す。シートの多様なコンポーネントの指定は、いずれの場合も、簡単のため、これらの部分的図面から省略されている。図７ａは、その通常位置におけるシート１を示す。本発明によれば、図１ａにおいて模式的に分離され、各図に図示されない制御装置１０に連結されるアクチュエータ手段４３により、ユーザが、低下位置の設定を開始することが可能となる。この目的を達成するために、ユーザは、アクチュエータ手段４３、例えば、プッシュボタンスイッチ、タッチスクリーン等を作動し、その結果、制御装置１０に、ユーザが、シート１を低下位置まで設定することを意図していることが、信号により通知される。アクチュエータ手段４３の作動は、このため、ユーザがシートを、エントリー位置まで設定する要望と、低下位置まで設定する要望とを、区別することが可能となる。シート１は、図７ｂにおいて、前方に折り畳まれたバックレスト部分２と共に図示される。バックレスト２を前方に折り畳むことによって、トリガ手段２１が作動され、これにより、−すでに起きているアクチュエータ手段４３の作動のため−第１のアクチュエータは、斜め締結具３０の長手方向移動を許容し、その開始は、図７ｃに図示され、その完結した移動は、図７ｄに図示される。図７ｄは、同時に、シート１の低下位置を示す。第２の締結具４０において、第１の締結具２０により形成される“平行四辺形”は、シート１の通常位置において、斜め締結具３０が、ラッチされ、即ち、ロックされることにより得られる。シート１が低下位置にある場合、その後、斜め締結具をアンロックすることにより、同じ長手方向の移動が可能となり、これは、−対応するユーザの手動操作により−平行四辺形の“崩壊”をもたらす。図７ｅは、シート１、或いはバックレスト２及びシート部分３の、通常位置に戻る際の移動を示し、順に、図７ｆにおいて、斜め部分の長手方向移動が発生し、図７ｇにおいて、斜め締結具３０が、シート１の通常位置に対応する位置の場所へラッチすることを引き起こす。
【００２０】
図８ａから図８ｄは、シート１、その低下位置から、シートの設定可能性の範囲を誤用した、許容されない位置までの設定を示すため、シート位置の第１のシーケンスを示す。図８ａに図示されるシート１の低下位置において、斜め締結具３０は、長手方向に移動するように設定される。この状況において、バックレスト部分２が、垂直に（図８ｂ参照）設定され、−トリガ手段２１はスイッチオフされ−、及びその次に、その折り畳み位置まで再度設定され（図８ｃ参照）、−トリガ手段２１は再度アクチュエータ部分２３により作動され、第２のアクチュエータ４２のアンロック或いは開放が、制御装置１０により開始され−た場合、第２の締結具４０を開放することにより（図８ｄ参照）、シート１を、第１の締結具２０の領域に位置する回転軸周囲を前方に折り畳むことが、当然低下位置にロックされない斜め締結具３０の存在にもかかわらず、理解され得る。本発明によれば、こうした設定可能性の誤使用は、第１のモニター手段３１が、斜め締結具３０に取り付けられ、低下位置で開放される斜め締結具３０によって作動されることによって、及び、これらが作動された場合、第２の締結具が、開放されることを防止する、即ち、第２のアクチュエータ４２の作動を防止することによって、防止される。
【００２１】
図９は、本発明に係るシート１の場合に、図示される誤使用を防止するため、図８に図示されるモニタリング原理を、再度、ロジックダイアグラムを用いて示す。図９は、各列で、本発明に係るシート１の多様なコンポーネントの状態を図示する。各列は、特定のコンポーネントの状態の時間プロファイルｔを示す。“０”の表示は、この場合、対応するコンポーネントが、非作動、或いは作動されていないことを意味する。第１の列は、アクチュエータ手段４３に関連し、第２の列は、トリガ手段２１に関連し、第３の列は、第１のアクチュエータ３２に関連し、及び第４の列は、第１のモニター手段３１に関連する。第１の時間ｔ１において、アクチュエータ手段４３は、ユーザの作動により、駆動する。その結果、バックレスト部分２は、その折り畳み位置に設定される。折り畳み位置に到達した場合、結果として、トリガ手段２１が、（アクチュエータ部分２３の手段により）作動され、これは、第２の時間ｔ２における場合である。トリガ手段２１の作動により、制御装置１０は、第１のアクチュエータ３２を、低下位置に到達するために、所定の時間間隔Ｔ、例えば５００ｍｓの間、作動する。第１のアクチュエータ３２が、斜め締結具３０の調節クリップ３４を開放した場合、第１のモニター手段３１は、第３の時間ｔ３で作動される。本発明によれば、制御装置１０は、第１のモニター手段が斜め締結具３０のアンロックを信号により通知している限り、第２のアクチュエータ４２の引き続いての作動が、起きないように、提供され、これはまた、トリガ手段２１が−適切な場合、バックレスト部分２の調整操作（図８に示される）によって−、再度作動される状況にも適用され、原理上は、第２のアクチュエータ４２の作動により、第２の締結具４０の開放が引き起こされ得る。
【００２２】
図１０ａから図１０ｄは、シートの、エントリー位置からシートの多様な設定可能性を誤用する許容されない位置への設定を図示するために、シート位置の第２のシーケンスを示す。図１０ａに示されるシート１のエントリー位置において、第２の締結具４０は、開放される、即ち、バックレスト部分２及びシート部分３が、第１の締結具２０の領域に位置する回転軸周囲を前方に折り畳まれ得るよう、提供される。この状況において、バックレスト部分２が、垂直に（図１０ｂ参照）設定され、−トリガ手段２１はスイッチオフされ−、及びその次に、その折り畳み位置まで再度設定され（図１０ｃ参照）、−トリガ手段２１は再度アクチュエータ部分２３により作動され、第１のアクチュエータ３２のアンロック或いは開放が、制御装置１０により開始され−た場合、斜め締結具３０を開放することにより（図１０ｄ参照）、斜め締結具３０を、長手方向に移動することが、当然エントリー位置にない第２の締結具４０の存在にもかかわらず、理解され得る。本発明によれば、こうした設定可能性の誤使用は、第２のモニター手段４１が、第２の締結具４０に取り付けられ、エントリー位置で開放される第２の締結具４０によって作動されることにより、及び、これらが作動された場合、斜め締結具３０が、開放されることを防止する、即ち、第１のアクチュエータ３２の作動を防止することによって、防止される。
【００２３】
図１１は、本発明に係るシート１の場合に図示される誤使用を防止するために、図１０に図示されるモニタリング原理を、ロジックダイアグラムを用いて再度示す。図１１は、３列で、本発明に係るシート１の多様なコンポーネントの状態を示す。各列は、特定のコンポーネントの状態の時間プロファイルｔを示す。この場合、表示“０”は、対応するコンポーネントが、非作動或いは作動していないことを意味する。第１の列は、トリガ手段２１に関し、第２の列は、第２のアクチュエータ４２に関し、及び第３の列は、第２のモニター手段４１に関する。第４の時間ｔ４において、バックレストは、バックレスト部分２のロックの機械的アンロックによって、調節される。その結果、バックレスト２は、その折り畳み位置に設定される。折り畳み位置に到達した場合、結果としてトリガ手段２１は、作動され（アクチュエータ部分２３の手段により）、これは、第５の時間ｔ５における場合である。トリガ手段２１の作動により、制御装置１０は、２１のアクチュエータ４２を、エントリー位置に到達するために、所定の時間間隔Ｔ、例えば５００ｍｓの間、作動する。第２のアクチュエータ４２が、第２の締結具４０の調節クリップ４４を開放した場合、第２のモニター手段４１は、第６の時間ｔ６で作動される。本発明によれば、制御装置１０は、第２のモニター手段４１が第２の締結具４０のアンロックを信号により通知している限り、第１のアクチュエータ３２の引き続いての作動が、起きないように、提供され、これはまた、トリガ手段２１が−適切な場合、図１０に示されるバックレスト部分２の調整操作によって−、再度作動される状況にも適用され、原理上は、第１のアクチュエータ３２の作動により、斜め締結具３０の開放が引き起こされ得る。
【００２４】
本発明によれば、トリガ手段２１及びモニター手段３１、４１は、特に、所定のコンポーネントの運動により機械的にスイッチされるコンタクトスイッチ或いはマイクロスイッチとして提供される。トリガ手段２１を作動するアクチュエータ部分２３は、これらのコンポーネントを代表する。これに関して、本発明によれば、特に、トリガ手段及びモニター手段２１、３１、４１のいくつかが、状態のモニタリングを実行する一方、これらの他方が、変化のモニタリングを実行する。例えば、本発明によれば、トリガ手段２１は、“フランク（flanks）”に反応する、或いは、その信号の“フランク(flanks)”に関して制御装置１０により評価され、一方、第１及び第２のモニター手段３１、４１は、検出され或いは仮定される状態のみに反応し、即ち、特定の瞬間の信号に関して排他的に評価される。後者から、モニター手段３１、４１の評価は、シートの移動経過と独立であり、従って、例えば電流障害の場合に、システムの堅牢性が向上するという利点が得られる。
【００２５】
本発明によれば、低下位置の設定或いはエントリー位置の設定の、通常位置からの識別は、選択スイッチ（図示されず）が提供されることにより、行なわれ得、１つの設定可能性は、低下位置の設定を示し、他の設定可能性は、エントリー位置の設定を示す。結果として、本発明によれば、シートのユーザは、これら２つの位置を、明白かつ独立して設定可能であり、或いはその設定を開始することが可能である。
【図面の簡単な説明】
【００２６】
【図１】図１は、本発明に係る、バックレスト部分及びシート部分を備えるシートを示す。
【図１ａ】図１ａは、制御ダイアグラムを示す。
【図２】図２は、本発明に係るシートの多様なコンポーネントを拡大して示す。
【図３】図３は、シート部分３の側部の詳細を、取り付けられたトリガ手段と共に示す。
【図４】図４は、斜め締結具を示す。
【図５】図５は、第２の締結具を示す。
【図６ａ】図６ａは、エントリー位置に対する、本発明に係るシートの位置のシーケンスを示す。
【図６ｂ】図６ｂは、エントリー位置に対する、本発明に係るシートの位置のシーケンスを示す。
【図６ｃ】図６ｃは、エントリー位置に対する、本発明に係るシートの位置のシーケンスを示す。
【図６ｄ】図６ｄは、エントリー位置に対する、本発明に係るシートの位置のシーケンスを示す。
【図６ｅ】図６ｅは、エントリー位置に対する、本発明に係るシートの位置のシーケンスを示す。
【図６ｆ】図６ｆは、エントリー位置に対する、本発明に係るシートの位置のシーケンスを示す。
【図６ｇ】図６ｇは、エントリー位置に対する、本発明に係るシートの位置のシーケンスを示す。
【図７ａ】図７ａは、低下位置に対する、本発明に係るシートの位置のシーケンスを示す。
【図７ｂ】図７ｂは、低下位置に対する、本発明に係るシートの位置のシーケンスを示す。
【図７ｃ】図７ｃは、低下位置に対する、本発明に係るシートの位置のシーケンスを示す。
【図７ｄ】図７ｄは、低下位置に対する、本発明に係るシートの位置のシーケンスを示す。
【図７ｅ】図７ｅは、低下位置に対する、本発明に係るシートの位置のシーケンスを示す。
【図７ｆ】図７ｆは、低下位置に対する、本発明に係るシートの位置のシーケンスを示す。
【図７ｇ】図７ｇは、低下位置に対する、本発明に係るシートの位置のシーケンスを示す。
【図８ａ】図８ａは、特に誤使用可能性の高いシート位置の第１のシーケンスを示す。
【図８ｂ】図８ｂは、特に誤使用可能性の高いシート位置の第１のシーケンスを示す。
【図８ｃ】図８ｃは、特に誤使用可能性の高いシート位置の第１のシーケンスを示す。
【図８ｄ】図８ｄは、特に誤使用可能性の高いシート位置の第１のシーケンスを示す。
【図９】図９は、ロジックダイヤグラムを用いた、図８に示されるモニタリング原理を示す。
【図１０ａ】図１０ａは、特に誤使用可能性の高いシート位置の第２のシーケンスを示す。
【図１０ｂ】図１０ｂは、特に誤使用可能性の高いシート位置の第２のシーケンスを示す。
【図１０ｃ】図１０ｃは、特に誤使用可能性の高いシート位置の第２のシーケンスを示す。
【図１０ｄ】図１０ｄは、特に誤使用可能性の高いシート位置の第２のシーケンスを示す。
【図１１】図１１は、ロジックダイヤグラムを用いた、図１０に示されるモニタリング原理を示す。
【符号の説明】
【００２７】
１  シート
２  バックレスト部分
３  シート部分
３ｂ  シート部分の側部
４  下部シート構造
１０  制御機器
２０  第１の締結具
２１  トリガ手段
３０  斜め締結具
３１  第１のモニター手段
３２  第１のアクチュエータ
３４  斜め締結具の調整クリップ
４０  第２の締結具
４１  第２のモニター手段
４２  第２のアクチュエータ
４３  アクチュエータ手段
４４  第２の締結具の調整クリップ
ｔ  時間プロファイル
ｔ１  第１の時間
ｔ２  第２の時間
ｔ３  第３の時間
ｔ４  第４の時間
ｔ５  第５の時間
ｔ６  第６の時間
Ｔ  時間間隔
【図１】
2007504990.tif 000003
【図１ａ】
2007504990.tif 000004
【図２】
2007504990.tif 000005
【図３】
2007504990.tif 000006
【図４】
2007504990.tif 000007
【図５】
2007504990.tif 000008
【図６】
2007504990.tif 000009
【図７】
2007504990.tif 000010
【図８】
2007504990.tif 000011
【図９】
2007504990.tif 000012
【図１０】
2007504990.tif 000013
【図１１】
2007504990.tif 000014
【国際調査報告】
2007504990.tif 000015
2007504990.tif 000016
2007504990.tif 000017
2007504990.tif 000018
2007504990.tif 000019
2007504990.tif 000020